(57)【特許請求の範囲】
【請求項１】
アクセス・ポイント（ＡＰ）により、現在の送信機会（ＴＸＯＰ）期間中に、節電モードに入ることを許可された端末にデータ・フレームを送信するステップであって、前記データ・フレームはユーザ・データ送信の終了を示すために用いられるステップと、
前記ＡＰにより、前記データ・フレームが受信されたことに応答して前記端末が返す応答フレームがない場合には、新規のＴＸＯＰ期間を争うことなく、前記現在のＴＸＯＰ期間中に前記データ・フレームを前記端末に再送するステップと、
を含む、エラー回復方法。
【請求項２】
前記データ・フレームが受信されたことに応答して前記端末が返す応答フレームがない場合に前記現在の送信機会期間中に前記データ・フレームを前記端末に再送するステップは、
応答フレームを受信するための所定期間中に正常チャネル評価結果が所定閾値より低いことが検出され、前記応答フレームが受信されていないと判定された場合に、前記ＡＰにより、前記現在の送信機会期間中に前記データ・フレームを前記端末に再送するステップ、
または、
前記応答フレームを受信するための前記所定期間中に前記正常チャネル評価結果が前記所定閾値より低くないが前記応答フレームを受信するための前記所定期間中に受信された前記フレームが誤ってデコードされたことが検出され、前記応答フレームが受信されていないと判定された場合に、前記ＡＰにより、前記現在の送信機会期間中に前記データ・フレームを前記端末に再送するステップ、
を含む、請求項１に記載のエラー回復方法。
【請求項３】
前記現在の送信機会期間中に前記データ・フレームを前記端末に再送するステップは、前記ＡＰにより、前記現在の送信機会期間内の所定期間中に前記データ・フレームを前記端末に再送するステップを含み、前記端末は前記所定期間の後にドーズ状態に入る、請求項１に記載のエラー回復方法。
【請求項４】
前記現在の送信機会期間中に前記データ・フレームを前記端末に再送するステップは、前記ＡＰにより、前記現在の送信機会期間中に所定回数だけ前記データ・フレームを前記端末に再送するステップを含む、請求項１に記載のエラー回復方法。
【請求項５】
前記所定回数は１回である、請求項４に記載のエラー回復方法。
【請求項６】
節電モードに入ることを許可された端末により、現在の送信機会（ＴＸＯＰ）期間中に、新規のＴＸＯＰ期間を争うことなく、アクセス・ポイントにより送信されたデータ・フレームを受信するステップであって、前記データ・フレームはユーザ・データ送信の終了を示すために用いられるステップと、
前記端末により、前記現在のＴＸＯＰ期間中に、前記アクセス・ポイントにより再送された前記データ・フレームを受信するステップと、
を含み、
前記アクセス・ポイントが送信した前記データ・フレームに応答した前記端末からの応答フレームを前記アクセス・ポイントが受信できなかった場合に、前記データ・フレームが前記アクセス・ポイントにより送信される、
エラー回復方法。
【請求項７】
前記現在の送信機会期間中に前記アクセス・ポイントにより再送された前記データ・フレームを受信するステップは、
前記データ・フレームが誤ってデコードされた場合には、前記端末により、前記現在の送信機会期間中に前記アクセス・ポイントにより再送された前記データ・フレームを受信するステップ、
または、
前記データ・フレームが正しくデコードされた場合には、前記端末により、前記応答フレームを前記アクセス・ポイントに送信した後に、前記現在の送信機会期間内の所定期間中に前記アクセス・ポイントにより再送されたデータ・フレームを受信するステップと、
を含む、請求項６に記載のエラー回復方法。
【請求項８】
前記所定期間は、前記応答フレームを送信した時刻から前記アクセス・ポイントが他の端末に送信したフレームを受信した時刻までの期間である、請求項７に記載のエラー回復方法。
【請求項９】
現在の送信機会（ＴＸＯＰ）期間中に、節電モードに入ることを許可された端末にデータ・フレームを送信するように構成された送信モジュールであって、前記データ・フレームはユーザ・データ送信の終了を示すために用いられる送信モジュールと、
前記データ・フレームが受信されたことに応答して前記端末が返す応答フレームがない場合には、新規のＴＸＯＰ期間を争うことなく、前記現在のＴＸＯＰ期間中に前記データ・フレームを前記端末に再送するように構成された再送モジュールと、
を備える、アクセス・ポイント装置。
【請求項１０】
前記再送モジュールは、
応答フレームを受信するための所定期間中に正常チャネル評価結果が所定閾値より低いことが検出され、前記応答フレームが受信されていないと判定された場合に、前記現在の送信機会期間中に前記データ・フレームを前記端末に再送するように構成された第１の再送ユニット、
または、
前記応答フレームを受信するための前記所定期間中に前記正常チャネル評価結果が前記所定閾値より低くないが前記応答フレームを受信するための前記所定期間中に受信された前記フレームが誤ってデコードされたことが検出され、前記応答フレームが受信されていないと判定された場合に、前記現在の送信機会期間中に前記データ・フレームを前記端末に再送するように構成された第２の再送ユニット、
を備える、請求項９に記載のアクセス・ポイント装置。
【請求項１１】
前記再送モジュールは、前記現在の送信機会期間内の所定期間中に前記データ・フレームを前記端末に再送するように構成され、前記端末が前記所定期間の後にドーズ状態に入る、請求項９に記載のアクセス・ポイント装置。
【請求項１２】
前記再送モジュールは、前記現在の送信機会期間中に所定回数だけ前記データ・フレームを前記端末に再送するように構成される、請求項９に記載のアクセス・ポイント装置。
【請求項１３】
端末装置であって、
現在の送信機会（ＴＸＯＰ）期間中に、新規のＴＸＯＰ期間を争うことなく、アクセス・ポイントにより送信されたデータ・フレームを受信するように構成された第１の受信モジュールであって、前記データ・フレームはユーザ・データ送信の終了を示すために用いられる第１の受信モジュールと、
前記現在のＴＸＯＰ期間中に、前記アクセス・ポイントにより再送された前記データ・フレームを受信するように構成された第２の受信モジュールと、
を備え、
前記アクセス・ポイントが送信した前記データ・フレームに応答した前記端末装置からの応答フレームを前記アクセス・ポイントが受信できなかった場合に、前記データ・フレームが前記アクセス・ポイントにより送信される、
端末装置。
【請求項１４】
前記第２の受信モジュールは、
前記データ・フレームが誤ってデコードされた場合には、前記アクセス・ポイントにより再送された前記データ・フレームを前記現在の送信機会期間中に受信するように構成された第１の受信ユニット、
または、
前記データ・フレームが正しくデコードされた場合には、前記応答フレームを前記アクセス・ポイントに送信した後に、前記現在の送信機会期間内の所定期間中に前記アクセス・ポイントから再送されたデータ・フレームを受信するように構成された第２の受信ユニットと、
を備える、請求項１３に記載の端末装置。
【請求項１５】
前記所定期間は、前記応答フレームを送信した時刻から前記アクセス・ポイントが他の端末に送信したフレームを受信した時刻までの期間である、請求項１４に記載の端末装置。
【発明の詳細な説明】
【技術分野】
【０００１】
本発明は、無線ローカル・エリア・ネットワークの分野に関し、特に、無線ローカル・エリア・ネットワークの分野におけるエラー回復方法、アクセス・ポイント装置、端末装置、およびそれらのシステムに関する。
【背景技術】
【０００２】
節電機構、即ち送信機会（Ｔｒａｎｓｍｉｓｓｉｏｎ Ｏｐｐｏｒｔｕｎｉｔｙ、ＴＸＯＰ）節電（Ｐｏｗｅｒ Ｓａｖｅ、ＰＳ）が新たな標準に導入されている。当該節電機構ＴＸＯＰ ＰＳでは、特定の条件がＴＸＯＰ期間中に満たされたとき、当該機構をサポートする端末（Ｓｔａｔｉｏｎ、ＳＴＡ）はドーズ状態に入って電力を節約することができる。
【０００３】
アクセス・ポイント（Ａｃｃｅｓｓ  ｐｏｉｎｔ、  ＡＰ）は、ＶＨＴ−ＳＩＧ−Ａ１（超高スループット信号Ａ１、Ｖｅｒｙ  Ｈｉｇｈ  Ｔｈｒｏｕｇｈｏｕｔ  Ｓｉｇｎａｌ−Ａ１）内のＴＸＯＰ＿ＰＳ＿ＮＯＴ＿ＡＬＬＯＷＥＤ（ＴＸＯＰ  ＰＳ不可）フィールドを設定して、ＴＸＯＰ  ＰＳモードのＳＴＡがドーズ状態に入れるかどうかを示すことができる。当該フィールドが０のとき、これはＴＸＯＰ  ＰＳモードのＳＴＡがドーズ状態に入れることを示し、そうでない場合には、ＴＸＯＰ  ＰＳモードのＳＴＡがドーズ状態に入れないことを示す。
【０００４】
ＴＸＯＰ期間中は、ＴＸＯＰ  ＰＳモードのＳＴＡがドーズ状態に入れる場合、即ち、節電モードの場合は、ＳＴＡは特定の条件が満たされるかどうかを判定する必要がある。当該特定の条件が満たされる場合には、ＳＴＡはＴＸＯＰ期間が終了するまでドーズ状態に入ることができ、ＡＰは、現在のＴＸＯＰ期間の残り時間において、ドーズ状態に入ることを既に許可されたＳＴＡに対してさらにデータを送信することはできない。
【０００５】
ドーズ状態に入るための特定の条件の１つは、モア・データ・フィールド（Ｍｏｒｅ  Ｄａｔａ  Ｆｉｅｌｄ）が０であるフレームに応答してＳＴＡが応答フレームを返すことである。モア・データ・フィールド（Ｍｏｒｅ  Ｄａｔａ  Ｆｉｅｌｄ）が０であるフレームはデータ送信の終了を示すデータ・フレームであり、当該フレームはＳＴＡ宛てのユーザ・データを保持し、ＳＴＡに送信されるユーザ・データがもうないことを示し、その結果、ＳＴＡは応答フレームを返した後にドーズ状態に入る。
【０００６】
従来技術では、ＳＴＡはモア・データ・フィールドが０であるフレームを受信し応答フレームを返した後にドーズ状態に入り、ＡＰはモア・データ・フィールドが０であるフレームをＳＴＡに送信した後にＳＴＡへのデータ送信を停止する。
【発明の概要】
【発明が解決しようとする課題】
【０００７】
しかし、モア・データ・フィールドが０であるフレームに誤りがある場合、または、モア・データ・フィールドが０であるフレームに応答する応答フレームに誤りがある場合は、ＡＰは応答フレームを受信できないかもしれず、モア・データ・フィールドが０であるフレームに対応する送信には誤りが存在することとなる。従来技術では、ＡＰが応答フレームを受信できなかった場合、ＡＰはモア・データ・フィールドが０であるフレームをキャッシュし、ＳＴＡと通信するための別のＴＸＯＰを取得した後にモア・データ・フィールドが０であるフレームをＳＴＡに再送し、対応する応答フレームを再受信してエラー回復を行うことができる。このため、送信効率が低下することとなる。さらに、エラー回復を実施できる前に新規のＴＸＯＰ期間を取得する必要があるため、エラー回復が長期間遅延し、サービス品質が低下することとなる。
【課題を解決するための手段】
【０００８】
本発明の諸実施形態では、エラー回復方法、アクセス・ポイント装置、端末装置、およびそれらのシステムを提供する。当該エラー方法を現在の送信機会期間中に行って、エラー回復を次の送信機会期間が得られるまで実施できないという問題を解決し、それによりエラー回復の効率とサービス品質を改善することができる。
【０００９】
１態様では、本発明の１実施形態は、データ・フレームを節電モードに入ることを許可された端末に送信するステップであって、当該データ・フレームはユーザ・データ送信の終了を示すために用いられるステップと、当該データ・フレームを受信したことに応答して当該端末が返す応答フレームがない場合には現在の送信機会期間中に当該データ・フレームを再送するステップと、を含むエラー回復方法を提供する。
【００１０】
別の態様では、本発明の１実施形態は、アクセス・ポイントにより送信されたデータ・フレームを受信するステップであって、当該データ・フレームはユーザ・データ送信の終了を示すために用いられるステップと、現在の送信機会期間中に、当該アクセス・ポイントにより再送された当該データ・フレームを受信するステップであって、当該アクセス・ポイントが応答フレームを受信できなかった場合に、当該アクセス・ポイントにより再送された当該データ・フレームが当該アクセス・ポイントにより送信され、当該アクセス・ポイントにより送信された当該データ・フレームが節電モードへ入ることを許可された端末により受信されたときに、当該応答フレームが当該端末により返されるステップと、を含むエラー回復方法を提供する。
【００１１】
さらに別の態様では、本発明の１実施形態は、節電モードに入ることを許可された端末にデータ・フレームを送信するように構成された送信モジュールであって、当該データ・フレームはユーザ・データ送信の終了を示すために用いられる送信モジュールと、当該データ・フレームを受信したことに応答して当該端末が返す応答フレームがない場合には、現在の送信機会期間中に当該データ・フレームを当該端末に再送するように構成された再送モジュールと、を備えるアクセス・ポイント装置を提供する。
【００１２】
さらに別の態様では、本発明の１実施形態は、アクセス・ポイントにより送信されたデータ・フレームを受信するように構成された第１の受信モジュールであって、当該データ・フレームはユーザ・データ送信の終了を示すために用いられる第１の受信モジュールと、現在の送信機会期間中に、当該アクセス・ポイントにより再送された当該データ・フレームを受信するように構成された第２の受信モジュールであって、当該アクセス・ポイントが応答フレームを受信できなかった場合に、当該アクセス・ポイントにより再送された当該データ・フレームが当該アクセス・ポイントにより送信され、当該アクセス・ポイントにより送信された当該データ・フレームが節電モードへ入ることを許可された端末により受信されたときに、当該応答フレームが当該端末により返される第２の受信モジュールと、を備える端末装置を提供する。
【００１３】
さらに別の態様では、本発明の１実施形態は、アクセス・ポイント装置および端末装置を備えたエラー回復システムを提供する。当該アクセス・ポイント装置は、ユーザ・データ送信の終了を示すために用いられるデータ・フレームを節電モードに入ることが許可された当該端末装置に送信し、当該データ・フレームを受信したことに応答して当該端末装置が返す応答フレームがない場合には、現在の送信機会期間中に当該データ・フレームを当該端末装置に再送するように構成される。当該端末装置は、当該アクセス・ポイント装置が送信した当該データ・フレームを受信し、当該現在の送信機会期間中に当該アクセス・ポイントが再送した当該データ・フレームを受信するように構成される。
【００１４】
上記の技術的解決策に基づいて、ユーザ・データ送信の終了を示すデータ・フレームを送信した後、アクセス・ポイントは、応答フレームが受信されなかった場合に現在の送信機会期間中にデータ・フレームを直接再送する。そのため、従来技術とは異なり、再送前に新規の送信機会期間を争う必要はない。したがって、現在の送信機会期間中にエラー回復を実施することができ、その結果、エラー回復が迅速になりエラー回復による遅延が減少する。エラー回復を現在の送信機会期間内に実施できる場合は新規の送信機会期間を不必要に争うことが回避され、その結果、エラー回復の効率が向上し、ネットワーク・リソースが節約され、サービス品質が向上する。
【図面の簡単な説明】
【００１５】
【図１】本発明の１実施形態に従うエラー回復方法の流れ図である。
【図２】本発明の１実施形態に従う別のエラー回復方法の流れ図である。
【図３】本発明の１実施形態に従うさらに別のエラー回復方法の流れ図である。
【図４】本発明の１実施形態に従うさらに別のエラー回復方法の流れ図である。
【図５】本発明の１実施形態に従うアクセス・ポイント装置の構造ブロック図である。
【図６】本発明の１実施形態に従う別のアクセス・ポイント装置の構造ブロック図である。
【図７】本発明の１実施形態に従う端末装置の構造ブロック図である。
【図８】本発明の１実施形態に従う別の端末装置の構造ブロック図である。
【図９】本発明の１実施形態に従うエラー回復システムの構造ブロック図である。
【発明を実施するための形態】
【００１６】
本発明の諸実施形態に従う技術的解決策を、諸実施形態と添付図面を参照して下記で明確かつ十分に説明する。明らかに、当該諸実施形態は例にすぎず、本発明はかかる諸実施形態には限定されない。当業者は何ら創造的な作業なしに他の諸実施形態を本明細書で与えた諸実施形態から導くことができ、かかる全ての諸実施形態は本発明の保護範囲に入るものとする。
【００１７】
先ず、図１を参照して本発明の１実施形態に従うエラー回復方法１００を説明する。
【００１８】
図１に示すように、方法１００は、Ｓ１１０で、データ・フレームを節電モードに入ることを許可された端末に送信するステップであって、当該データ・フレームはユーザ・データ送信の終了を示すステップと、Ｓ１２０で、データ・フレームを受信したことに応答して当該端末が返す応答フレームがない場合に現在の送信機会期間中に当該データ・フレームを当該端末に再送するステップとを含む。
【００１９】
例えば、方法１００をアクセス・ポイントにより実施してもよい。当該アクセス・ポイントは、ユーザ・データ送信の終了を示すデータ・フレームを節電モードに入ることを許可された端末、即ち、ドーズ状態に入ることを許可された端末に送信し、応答フレームが受信されない場合には、再送が新規の送信機会期間を取得した後にのみ実施できる従来技術のケースとは異なり、データ・フレームは現在の送信機会期間中に端末に再送される。したがって、エラー回復を現在の送信機会期間内に実施できるときにエラー回復を実施するために新規の送信機会期間を争う必要はなく、その結果、不要な競争により無用に時間を浪費しリソースを浪費することが回避され、エラー回復の効率が向上する。
【００２０】
Ｓ１１０では、ユーザ・データ送信の終了を示すデータ・フレームがデータ・モア・データ・フィールドが０であるフレームであってもよく、当該データ・フレームを通じて、当該端末に送信すべきユーザ・データがもうないことが示される。従来技術では、ＡＰがデータ・フレームを送信した後、ＡＰが応答フレームの受信に成功したかどうかに関わらず、ＡＰはデータ・フレームを端末に再送せず、端末との通信は終了する。特に、ＡＰが応答フレームを受信しない場合には、再送を実施するために新規の送信機会期間が争われる。しかし、本発明の実施形態によれば、ＡＰが応答フレームを受信しない
場合には、データ・フレームは現在の送信機会期間中に直接再送される。
【００２１】
Ｓ１２０で、ＡＰが応答フレームを受信しない２つのケースがある。ケース１：端末がデータ・フレームを受信しないかまたはデータ・フレームが誤ってデコードされた可能性があるためＡＰがフレームを全く受信せず、その結果、応答フレームが送信されない。または、応答フレームが送信中に紛失しＡＰが応答フレームの存在を検知しない。ケース２：ＡＰがフレームを受信したが、ＡＰが当該フレームを誤ってデコードし、したがって、ＡＰは当該フレームを応答フレームとして特定することができない。
【００２２】
何れにせよ、幾つかのケースではＡＰはデータ・フレームを端末に再送してエラー回復を実施できる場合がある。例えば、端末が応答フレームを送信しないのでＡＰが応答フレームを受信することができない。このケースでは、端末はデータ・フレームを受信しないかまたはデータ・フレームが誤ってデコードされ、端末はドーズ状態に入らない。このケースでは、ＡＰはデータ・フレームを再送することによってエラー回復を実施することができる。
【００２３】
本発明の１実施形態によれば、ＡＰは現在の送信機会期間内の所定期間中にデータ・フレームを端末に再送してもよく、端末は当該所定期間の後にドーズ状態に入る。
【００２４】
或る期間をＡＰと端末に対して事前に設定してもよく、端末がユーザ・データ送信の終了を示すデータ・フレームを正しく受信し応答フレームを返した場合でも、端末はすぐにはドーズ状態に入らず、ドーズ状態に入る前に暫く待機する。このように、ＡＰがエラー回復を実施するための冗長な時間があってもよく、したがって、応答フレームが紛失したかまたはエラーが発生してＡＰが応答フレームを受信できない場合でも、ＡＰには依然として現在の送信機会期間中にエラー回復を実施する機会がある。当該所定期間が終了すると、ＡＰは、端末がドーズ状態に入ったことを確認し、データ・フレームの再送を停止する。
【００２５】
本発明の実施形態によれば、当該所定期間はＳＩＦＳ（Ｓｈｏｒｔ  Ｉｎｔｅｒｆｒａｍｅ  Ｓｐａｃｅ、短フレーム間隔）より短くない期間であってもよい。
【００２６】
例えば、当該所定期間がＴｘＰＩＦＳであってもよい。ＴｘＰＩＦＳとは、ＰＩＦＳとａＴｘＲｘｔｕｒｎａｒｏｕｎｄＴｉｍｅの差分である。ａＴｘＲｘｔｕｒｎａｒｏｕｎｄＴｉｍｅの値は、様々なＷｉＦｉ（Ｗｉｒｅｌｅｓｓ  Ｆｉｄｅｌｉｔｙ、ワイヤレス・フィデリティ）システムに応じて異なる。当該システムが、直交周波数分割多重システムであるときには、ａＴｘＲｘｔｕｒｎａｒｏｕｎｄＴｉｍｅは２μｓより短い。ａＴｘＲｘｔｕｒｎａｒｏｕｎｄＴｉｍｅが、チャネル監視状態から送信状態へ切り替える時間間隔を表してもよい。ＰＩＦＳは、ＳＩＦＳとａＳｌｏｔＴｉｍｅ（タイム・スロット期間）の和であり、ａＳｌｏｔＴｉｍｅは時間単位であり、８０２．１１ａｃ標準ではａＳｌｏｔＴｉｍｅが９μｓであってもよい。
【００２７】
別の例では、上記所定期間がＰＩＦＳ（Ｐｏｉｎｔ（ｃｏｏｒｄｉｎａｔｉｏｎ  ｆｕｎｃｔｉｏｎ）Ｉｎｔｅｒｆｒａｍｅ  Ｓｐａｃｅ、ポイント（連携機能）フレーム間隔）より短くない期間であってもよい。例えば、当該所定期間がＤＩＦＳ（Ｄｉｓｔｒｉｂｕｔｅｄ（ｃｏｏｒｄｉｎａｔｉｏｎ  ｆｕｎｃｔｉｏｎ）Ｉｎｔｅｒｆｒａｍｅ  Ｓｐａｃｅ、分散（連携機能）フレーム間隔）であってもよい。ＤＩＦＳがＰＩＦＳとａＳｌｏｔＴｉｍｅの和であってもよい。別の例では、当該所定期間がＴｘＰＩＦＳであってもよい。ＴｘＰＩＦＳはＤＩＦＳとａＴｘＲｘｔｕｒｎａｒｏｕｎｄＴｉｍｅの差分である。
【００２８】
本発明の１実施形態によれば、ＡＰが現在の送信機会期間中に所定回数だけデータ・フレームを端末に再送してもよい。
【００２９】
ＡＰが応答フレームを受信しない場合には、ＡＰは一定の回数だけデータ・フレームを直接再送してもよく、その結果、現在の送信機会期間中にエラー回復を実施できる可能性が高い。例えば、端末がデータ・フレームを受信しないかまたはデータ・フレームが誤ってデコードされたためにＡＰが応答フレームを受信できないケースでは、端末はドーズ状態になく、ＡＰはデータ・フレームを直接再送して現在の送信機会期間中にエラー回復を実施することができる。
【００３０】
本発明の１実施形態によれば、ＡＰは現在の送信機会期間中にデータ・フレームを端末に一回再送してもよい。ＡＰが１回再送することでエラー回復の目的が達成されない場合には、続いて再送してもこの目的が達成される可能性は低いというのが一般的な見方である。したがって、一回の再送により、エラー回復効率とネットワーク・リソースのオーバヘッドの良好なトレードオフを実現することができ、当該エラー回復を実施するための複数回の再送により生ずる不要なネットワーク・オーバヘッドが省かれる。
【００３１】
本発明の実施形態に従うエラー回復方法では、ユーザ・データ送信の終了を示すデータ・フレームが送信された後、応答フレームが受信されない場合には、データ・フレームを現在の送信機会期間中に直接再送する。その結果、従来技術とは異なり、再送を実施できる前に新規の送信機会期間を争う必要はない。したがって、エラー回復を現在の送信機会期間中に実施することができ、それによりエラー回復が迅速になりエラー回復の遅延が減る。エラー回復を現在の送信機会期間中に実施できると、不必要に新規の送信機会期間を争うことが回避され、それによりエラー回復の効率が向上し、ネットワーク・リソースが節約され、サービス品質が向上する。
【００３２】
図２は、本発明の１実施形態に従うエラー回復方法２００の流れ図である。
【００３３】
Ｓ２１０で、データ・フレームが節電モードに入ることを許可された端末に送信され、当該端末でデータ・フレームがユーザ・データ送信の終了を示すために使用される。このステップは基本的にはＳ１１０と同じである。
【００３４】
本発明の１実施形態によれば、Ｓ２１０の次にＳ２１２とＳ２２０を行ってもよい。Ｓ２１２で、応答フレームを受信する所定期間中に正常チャネル評価結果が所定閾値より低いことが検出された場合、応答フレームが受信されなかったと判定する。Ｓ２２０で、データ・フレームが現在の送信機会期間中に端末に再送される。
【００３５】
ＡＰは、正常チャネル評価（Ｃｌｅａｒ  Ｃｈａｎｎｅｌ  Ａｓｓｅｓｓｍｅｎｔ、ＣＣＡ）結果を検出することにより、応答フレームが受信されたかどうかを判定してもよい。ＡＰは、チャネル内の搬送波電力を監視し測定することによって、ＣＣＡの結果を検出してもよい。
【００３６】
標準においては、データ・フレームと返された応答フレームとの時間間隔を、例えばＳＩＦＳとして定義する。ＡＰはデータ・フレームを端末に送信し、次いでＡＰは端末が返す応答フレームを待機する。端末がデータ・フレームを正しく受信できた場合は、端末は、データ・フレームを受信し終わった後にＳＩＦＳ期間中に応答フレームを返す。チャネル内の応答フレームの送信時間は固定されておらず、送信帯域幅と変調方式に応じて変化する。
【００３７】
応答フレームの送信時間は固定されていない、即ち、応答フレームの送信長は固定されていないけれども、応答フレームの送信長には、少なくともプリアンブル・シーケンスとデータ・セクションが含まれる。データ・セクションは確認情報を運搬するために使用され、データ・セクションの最小長は様々な標準において異なる。例えば、８０２．１１標準では、プリアンブル・シーケンスは、Ｌ−ＳＴＦ（Ｌｅｇａｃｙ  Ｓｈｏｒｔ  Ｔｒａｉｎｉｎｇ  Ｆｉｅｌｄ、レガシー・ショート・トレーニング・フィールド）、Ｌ−ＬＴＥ（Ｌｅｇａｃｙ  Ｌｏｎｇ  Ｔｒａｉｎｉｎｇ  Ｆｉｅｌｄ、レガシー・ロング・トレーニング・フィールド）、およびＬ−ＳＩＧ（Ｌｅｇａｃｙ  Ｓｉｇｎａｌ、レガシー・シグナル）を含んでもよい。データ・セクションは、少なくとも１つの直交周波数分割多重（Ｏｒｔｈｏｇｏｎａｌ  Ｆｒｅｑｕｅｎｃｙ  Ｄｉｖｉｓｉｏｎ  Ｍｏｄｕｌａｔｉｏｎ、  ＯＦＤＭ）シンボルを含んでもよく、応答フレームの送信長は少なくともＬ−ＳＴＦ、Ｌ−ＬＴＦ、Ｌ−ＳＩＧ、およびＯＦＤＭシンボルの長さの和である。具体的には、８０２．１１ａｃ標準では、Ｌ−ＳＴＦは８μｓであり、Ｌ−ＬＴＥは８μｓであり、Ｌ−ＳＩＧは４μｓであり、および１つのＯＦＤＭシンボルは４μｓであり、したがって応答フレームの送信時間は少なくとも２４μｓである。
【００３８】
ＡＰに対して、応答フレームを受信するための所定期間はＡＰがデータ・フレームを端末に送信した後に開始してもよく、または、ＡＰがデータ・フレームを端末に送信した後にＳＩＦＳの期間待機するときに開始してもよい。応答フレームを受信するための所定期間がデータ・フレームをＡＰが送信したときに開始する場合は、応答フレームを受信するための所定期間はＰＩＦＳの期間だけ継続してもよい。応答フレームを受信するための所定期間がデータ・フレームを端末に送信した後ＳＩＦＳの期間だけ待機するときに開始したときは、応答フレームを受信するための所定期間は、応答フレームの最短送信時間だけ継続してもよく、または、応答フレームの最短送信時間より短い期間だけ継続してもよい。例えば、従来技術の標準では、データ・フレームを送信した後、ＡＰはＳＩＦＳの期間だけ待機してＳＳＡの結果を検出し始めるが、検出時間は２４μｓを超えない。２４μｓ内の検出によりＣＣＡの結果が所定閾値より低いことが示された場合には、応答フレームが受信されなかったと判定される。
【００３９】
応答フレームを受信するための所定期間において、ＣＣＡの結果が閾値より低いままであることをＡＰが検出した場合には、応答フレームが受信されなかったと判定されるが、当該期間の任意の時点でＣＣＡの結果が所定閾値より低くないとＡＰが検出した場合には、応答フレームが受信されたと判定してもよい。
【００４０】
本発明の１実施形態によれば、Ｓ２１０の次にＳ２１４とＳ２２０を実施してもよい。Ｓ２１４で、応答フレームを受信するための所定期間中にＣＣＡの結果が所定閾値より低くないとＡＰが検出した場合には、これはＡＰが応答フレームを受信したことを意味する。しかし、当該フレームが誤ってデコードされた場合には、ＡＰは当該フレームを応答フレームとして特定することができず、ＡＰは応答フレームが受信されなかったと判定する。
【００４１】
Ｓ２２０で、データ・フレームを現在の送信機会期間中に端末に再送する。
【００４２】
本発明の諸実施形態で提供するエラー回復方法によれば、応答フレームを受信するための所定期間中に正常チャネル評価結果を検出することによって、ＡＰは応答フレームが受信されたかどうかを効果的に判定することができ、その結果、ＡＰは応答フレームを受信するための所定期間中に何らかのエラーが発生したかどうかを迅速に判定することができ、それによりＡＰに対する迅速なエラー回復が促進され、エラー回復の効率が向上する。
【００４３】
以下で、図３を参照して本発明の１実施形態に従うエラー回復方法３００を説明する。
【００４４】
図３に示すように、方法３００は、Ｓ３１０でアクセス・ポイントが送信したデータ・フレームを受信するステップであって、当該データ・フレームがユーザ・データ送信の終了を示すために使用されるステップと、Ｓ３２０でアクセス・ポイントにより再送されたデータ・フレームを現在の送信機会期間中に受信するステップであって、当該・データ・フレームはアクセス・ポイントが応答フレームを受信できなかった場合にアクセス・ポイントにより再送され、アクセス・ポイントにより送信されたデータ・フレームが節電モードに入ることを許可された端末により受信されたときに応答フレームが当該端末により返されるステップと、を含む。
【００４５】
例えば、方法３００をＳＴＡにより実行してもよい。ユーザ・データ送信の終了を示すデータ・フレームをＳＴＡがＡＰから受信した後、データ・フレームに応答して応答フレームをＡＰがＳＴＡから受信しない場合は、ＡＰは現在の送信機会期間中にデータ・フレームをＳＴＡに再送して、エラー回復を現在の送信機会期間中に実施でき、エラー回復を実施するために新規の送信機会期間を争う必要がないようにする。ＳＴＡの動作はＡＰの動作に対応するので、方法３００の内容については方法１００の関連する説明を参照することができ、本明細書では繰り返さない。
【００４６】
Ｓ３１０で、ユーザ・データ送信の終了を示すデータ・フレームはデータ・モア・データ・フィールドが０であるフレームであってもよい。ＳＴＡは、データ・フレームが誤ってデコードされたために応答フレームを返すことができず、または、応答フレームを返したがＡＰが応答フレームを受信できなかったかもしれない。
【００４７】
Ｓ３２０で、ＡＰが応答フレームを受信しなかった場合には、ＡＰはデータ・フレームをＳＴＡに再送する。ＡＰが応答フレームを受信しない理由は、応答フレームが送出されなかったからであるかもしれず、または、応答フレームが紛失したからかもしれず、または、応答フレームが誤ってデコードされたからかもしれない。したがって、エラー回復を現在の送信機会期間中に実施してもよい。正常チャネル評価結果を検出することによって、ＡＰは応答フレームが受信されたかどうかを判定してもよい。詳細は、上述の方法２００のＳ２１２とＳ２１４に開示されている。
【００４８】
本発明の実施形態に従うエラー回復方法では、節電モードに入ることが許可された端末が現在の送信機会期間中に、アクセス・ポイントが再送したユーザ・データ送信の終了を示すためのデータ・フレームを受信することができる。その結果、アクセス・ポイントが再送前に新規の送信機会期間を争う必要がある従来技術とは異なり、エラー回復を現在の送信機会期間中に実施することができ、それによりエラー回復が迅速になりエラー回復の遅延が減る。エラー回復を現在の送信機会期間中に実施できると、不必要に新規の送信機会期間を争うことが回避され、それによりエラー回復の効率が向上し、ネットワーク・リソースが節約され、サービス品質が向上する。
【００４９】
図４は、本発明の１実施形態に従うエラー回復方法４００の流れ図である。
【００５０】
Ｓ４１０で、アクセス・ポイントが送信したデータ・フレームを受信する。当該データ・フレームはユーザ・データ送信の終了を示すために使用される。当該ステップは基本的にはＳ３１０と同じである。
【００５１】
本発明の１実施形態によれば、Ｓ４１０の次にＳ４２２を実施してもよい。Ｓ４２２で、データ・フレームが誤ってデコードされた場合は、アクセス・ポイントが再送したデータ・フレームを現在の送信機会期間中に受信する。
【００５２】
ＳＴＡが受信したデータ・フレームが誤ってデコードされた場合には、ＳＴＡは応答フレームを返さずドーズ状態に入らない。したがって、ＡＰは必ずデータ・フレームを現在の送信機会期間中にＳＴＡに再送してエラー回復を実施することができる。従来技術とは異なり、再送のためにデータ送信を停止し新規の送信機会期間を争う必要はない。これらは、不要な送信遅延、低エラー回復効率、およびネットワーク・リソースの無駄につながるものである。したがって、ＳＴＡは現在の送信機会期間中にＡＰが再送したデータ・フレームを直接受信して、現在の送信機会期間中にエラー回復を実施することができ、それによりエラー回復の効率が向上し、リソース接続に起因するネットワーク・オーバヘッドが減り、サービス品質が向上する。
【００５３】
本発明の１実施形態によれば、Ｓ４１０の次にＳ４２４を実施してもよい。Ｓ４２４で、データ・フレームが正しくデコードされた場合には、応答フレームをアクセス・ポイントに送信した後、アクセス・ポイントから再送されたデータ・フレームを現在の送信機会期間内の所定期間中に受信し、当該所定期間の後にドーズ状態に入る。
【００５４】
ＳＴＡにより受信されたデータ・フレームが正しくデコードされたので、ＳＴＡは応答フレームをＡＰに返す。応答フレームの送信中にエラーが発生した可能性があるため、ＡＰは応答フレームを受信できない、即ち、応答フレームが紛失したかまたは誤ってデコードされるかもしれない。したがって、発生した可能性のあるエラーから回復するための冗長な時間をもたせるために、応答フレームを返した後、ＳＴＡはすぐにはドーズ状態に入らず、応答フレームの受信の際にＡＰが失敗した可能性のために再送されたデータ・フレームを所定期間内に受信するための所定期間だけ待機する。その結果、現在の送信機会期間中にエラー回復の実施が成功する割合が増大し、エラー回復を実施するためにＡＰが新規の送信機会期間を争う必要はない。
【００５５】
本発明の１実施形態によれば、当該所定期間はＳＩＦＳより短くない期間であってもよい。ＡＰにより送信されたデータ・フレームをＳＴＡが継続的に受信するための最短期間はＳＩＦＳであるので、ＡＰがＳＴＡへの再送信を実施する場合には、ＳＴＡがデータ・フレームを受信するための時間間隔は少なくともＳＩＦＳであり、その結果、ＳＴＡはドーズ状態に入る前に少なくともＳＩＦＳだけ待機する必要がある。８０２．１１ａｃ標準では、ＳＩＦＳが１６μｓであってもよい。
【００５６】
本発明の１実施形態によれば、当該所定期間がＴｘＰＩＦＳであってもよい。ＴｘＰＩＦＳはＰＩＦＳとａＴｘＲｘｔｕｒｎａｒｏｕｎｄＴｉｍｅの差分である。本発明の１実施形態によれば、当該所定期間はＰＩＦＳより短くない期間であってもよい。例えば、当該所定期間がＤＩＦＳ（Ｄｉｓｔｒｉｂｕｔｅｄ（ｃｏｏｒｄｉｎａｔｉｏｎ  ｆｕｎｃｔｉｏｎ）Ｉｎｔｅｒｆｒａｍｅ  Ｓｐａｃｅ、分散（連携機能）フレーム間隔）であってもよい。ＤＩＦＳがＰＩＦＳとａＳｌｏｔＴｉｍｅの和であってもよい。別の例では、当該所定期間がＴｘＰＩＦＳであってもよい。ＴｘＰＩＦＳはＤＩＦＳとａＴｘＲｘｔｕｒｎａｒｏｕｎｄＴｉｍｅの差分である。
【００５７】
本発明の１実施形態によれば、当該所定期間が、応答フレームを送信した時刻からアクセス・ポイントが他の端末に送信したフレームを受信した時刻までの期間であってもよい。
【００５８】
応答フレームを返した後、ＳＴＡはドーズ状態に入らず、応答フレームの受信に失敗したためにＡＰが再送したデータ・フレームを受信する。ＡＰがフレームを他の端末に送信し始めた場合、これはＡＰが応答フレームの受信に成功し他の端末との通信に切り替えたことを意味する。したがって、ＡＰが他の端末に送信したフレームを受信した際、ＳＴＡはドーズ状態に入って電力を節約する。
【００５９】
さらに、Ｓ４２２およびＳ４２４を別の諸実施形態または同一の実施形態に含めてもよい。Ｓ４２２およびＳ４２４を同一の実施形態に含めた場合は、Ｓ４２２およびＳ４２４の実行シーケンスは本発明の保護範囲を限定せず、Ｓ４２２およびＳ４２４はデータ・フレームのデコード結果に基づいて実行される。
【００６０】
本発明の実施形態に従うエラー回復方法では、ＳＴＡはユーザ・データ送信の終了を示すためのデータ・フレームが誤ってデコードされたときにＡＰが再送したデータ・フレームを依然として受信することができる。一方、従来技術では、誤ってデコードしたケースで再送されるデータ・フレームを受信することはできない。したがって、エラー回復を現在の送信機会期間中に実施することができる。さらに、従来技術と異なり、ＳＴＡが応答フレームを返した場合には、ＳＴＡはすぐにドーズ状態に入らずその前に所定期間だけ待機する。それにより、応答フレームの受信失敗に起因するエラーから回復するための冗長な時間がもたらされる。したがって、エラー回復を現在の送信機会期間中に実施することができる。したがって、本発明の実施形態に従うエラー回復方法を用いるとエラー回復を迅速にすることができ、エラー回復の遅延を減らすことができる。エラー回復を現在の送信機会期間中に実施できると、不必要に新規の送信機会期間を争うことが回避され、それによりエラー回復の効率が向上し、ネットワーク・リソースが節約され、サービス品質が向上する。
【００６１】
以上で本発明の諸実施形態に従うエラー回復方法を説明した。本発明の諸実施形態に従うエラー回復に対応する装置を以下で図５乃至８の構造ブロック図を参照して説明する。
【００６２】
図５は、本発明の１実施形態に従うアクセス・ポイント装置５００の構造ブロック図である。
【００６３】
アクセス・ポイント装置５００は送信モジュール５１０と再送モジュール５２０を備える。アクセス・ポイント装置５００は、無線ローカル・エリア・ネットワーク内のＡＰであってもよく、アクセス・ポイント装置を介してネットワークにアクセスする端末にサービスを提供する。送信モジュール５１０を、データ・フレームを節電モードに入ることを許可された端末に送信するように構成してもよく、当該データ・フレームはユーザ・データ送信の終了を示すために使用される。再送モジュール５２０を、データ・フレームを受信したことに応答して端末が返す応答フレームがない場合に、データ・フレームを現在の送信機会期間中に端末に再送するように構成してもよい。
【００６４】
送信モジュール５１０および再送モジュール５２０の上記もしくは他の動作および／または機能が上述の方法１００におけるＳ１１０およびＳ１２０を参照してもよいので、本明細書では繰り返さない。
【００６５】
本発明の実施形態によれば、ユーザ・データ送信の終了を示すデータ・フレームを送信した後に、アクセス・ポイント装置は応答フレームが受信されなかった場合にデータ・フレームを現在の送信機会期間中に再送し、その結果、従来技術とは異なり、再送前に新規の送信機会期間を争う必要はない。したがって、エラー回復を現在の送信機会期間中に実施することができ、それによりエラー回復が迅速になりエラー回復の遅延が減る。エラー回復を現在の送信機会期間中に実施できると、不必要に新規の送信機会期間を争うことが回避され、それによりエラー回復の効率が向上し、ネットワーク・リソースが節約され、サービス品質が向上する。
【００６６】
図６は、本発明の１実施形態に従うアクセス・ポイント装置６００の構造ブロック図である。アクセス・ポイント装置６００の送信モジュール６１０および再送モジュール６２０は、基本的にはアクセス・ポイント装置５００の送信モジュール５１０および再送モジュール５２０と同じである。
【００６７】
本発明の実施形態によれば、再送モジュール６２０は第１の再送ユニット６２２および／または第２の再送ユニット６２４を備えてもよい。第１の再送ユニット６２２を、応答フレームを受信するための所定期間内に正常チャネル評価結果が所定閾値より低いと検出された場合にデータ・フレームを現在の送信機会期間中に端末に再送し、応答フレームが受信されなかったと判定するように構成してもよい。第２の再送ユニット６２４を、応答フレームを受信するための所定期間内に正常チャネル評価結果が所定閾値より低くないが応答フレームを受信するための所定期間に受信されたフレームが誤ってデコードされたと検出された場合に、データ・フレームを現在の送信機会期間中に端末に再送し、応答フレームが受信されなかったと判定するように構成してもよい。
【００６８】
本発明の１実施形態によれば、再送モジュール６２０を、データ・フレームを現在の送信機会期間内の所定期間中に端末に再送するように構成してもよく、端末は当該所定期間の後にドーズ状態に入る。
【００６９】
本発明の１実施形態によれば、再送モジュール６２０を、データ・フレームを現在の送信機会期間中に所定回数だけ端末に再送するように構成してもよい。例えば、当該所定回数が１回であってもよい。
【００７０】
第１の再送ユニット６２２、第２の再送ユニット６２４、および再送モジュール６２０の上記もしくは他の動作および／または機能が上述の方法２００におけるＳ２１２、Ｓ２１４、およびＳ２２０ならびに方法１００におけるＳ１２０を参照してもよいので、本明細書では繰り返さない。
【００７１】
本発明の実施形態によれば、応答フレームを受信するための所定期間中に正常チャネル評価結果を検出することによって、アクセス・ポイント装置は応答フレームが受信されたかどうかを効果的に判定することができ、その結果、応答フレームを受信するための所定期間中に、アクセス・ポイントは何らかのエラーが発生したかどうかを迅速に判定することができ、それにより迅速なエラー回復が促進され、エラー回復の効率が向上する。
【００７２】
図７は、本発明の１実施形態に従う端末装置７００の構造ブロック図である。
【００７３】
端末装置７００は、第１の受信モジュール７１０および第２の受信モジュール７２０を備える。端末装置７００は、コンピュータ、サーバ、およびユーザ端末であってもよく、無線ローカル・エリア・ネットワークのアクセス・ポイントを介してネットワークにアクセスしてもよい。第１の受信モジュール７１０を、アクセス・ポイントが送信したデータ・フレームを受信するように構成してもよく、当該データ・フレームはユーザ・データ送信の終了を示すために使用される。第２の受信モジュール７２０を、現在の送信機会期間中にアクセス・ポイントが再送したデータ・フレームを受信するように構成してもよく、アクセス・ポイントが再送したデータ・フレームは、アクセス・ポイントが応答フレームを受信できなかった場合にアクセス・ポイントにより再送され、応答フレームは、アクセス・ポイントが送信したデータ・フレームが節電モードに入ることを許可された端末により受信された後に、端末により返される。
【００７４】
第１の受信モジュール７１０および第２の受信モジュール７２０の上記もしくは他の動作および／または機能は上述の方法３００におけるＳ３１０およびＳ３２０を参照してもよいので、本明細書では繰り返さない。
【００７５】
本発明の実施形態で提供する端末装置によれば、節電モードに入ることが許可された端末装置は、ユーザ・データ送信の終了を示し現在の送信機会期間中にアクセス・ポイントにより再送されたデータ・フレームを受信することができる。その結果、アクセス・ポイントが再送のために新規の送信機会期間を争う必要がある従来技術とは異なり、エラー回復を現在の送信機会期間中に実施することができ、それによりエラー回復が迅速になりエラー回復の遅延が減る。エラー回復を現在の送信機会期間中に実施できると、不必要に新規の送信機会期間を争うことが回避され、それによりエラー回復の効率が向上し、ネットワーク・リソースが節約され、サービス品質が向上する。
【００７６】
図８は、本発明の１実施形態に従う端末装置８００の構造ブロック図である。端末装置８００の第１の受信モジュール８１０および第２の受信モジュール８２０は、基本的には端末装置７００の第１の受信モジュール７１０および第２の受信モジュール７２０と同じである。
【００７７】
本発明の実施形態によれば、第２の受信モジュール８２０は第１の受信ユニット８２２および／または第２の受信ユニット８２４を備えてもよい。第１の受信ユニット８２２を、データ・フレームが誤ってデコードされた場合に、アクセス・ポイントが現在の送信機会期間中に再送したデータ・フレームを受信するように構成してもよい。第２の受信ユニット８２４を、データ・フレームが正確にデコードされた場合、応答フレームがアクセス・ポイントに送信された後に、現在の送信機会期間内の所定期間中にアクセス・ポイントから再送されたデータ・フレームを受信し、当該所定期間後にドーズ状態に入るように構成してもよい。
【００７８】
本発明の１実施形態によれば、当該所定期間は、応答フレームを送信した時刻からアクセス・ポイントが他の端末に送信したフレームを受信した時刻までの期間であってもよい。
【００７９】
本発明の１実施形態によれば、当該所定期間はＳＩＦＳより短くない期間であってもよい。例えば、当該所定期間がＴｘＰＩＦＳであってもよい。
【００８０】
本発明の１実施形態によれば、当該所定期間はＰＩＦＳより短くない期間であってもよい。例えば、当該所定期間がＤＩＦＳまたはＴｘＤＩＦＳであってもよい。
【００８１】
第１の受信ユニット８２２および第２の受信ユニット８２４の上記もしくは他の動作および／または機能は上述の方法４００におけるＳ４２２およびＳ４２４を参照してもよいので、本明細書では繰り返さない。
【００８２】
本発明の実施形態で提供する端末装置によれば、ユーザ・データ送信の終了を示すためのデータ・フレームが誤ってデコードされたときに端末装置はアクセス・ポイントが再送したデータ・フレームを依然として受信することができる。一方、従来技術では、誤ってデコードされた場合には再送されたデータ・フレームを受信することはできない。したがって、エラー回復を現在の送信機会期間中に実施することができる。さらに、端末装置が応答フレームを返す場合、従来技術と異なり、端末装置はすぐにはドーズ状態に入らずその前に所定期間待機し、それにより応答フレームの受信失敗に起因するエラーから回復するための冗長な時間がもたらされる。したがって、エラー回復を現在の送信機会期間中に実施することができる。したがって、本発明の諸実施形態によれば、端末装置はエラー回復を迅速にすることができ、エラー回復の遅延を減らすことができる。エラー回復を現在の送信機会期間中に実施できると、不必要に新規の送信機会期間を争うことが回避され、それによりエラー回復の効率が向上し、ネットワーク・リソースが節約され、サービス品質が向上する。
【００８３】
図９は、本発明の１実施形態に従うエラー回復システム９００の構造ブロック図である。システム９００は、アクセス・ポイント装置９１０および端末装置９２０を備える。
【００８４】
アクセス・ポイント装置９１０を、節電モードに入ることが許可された端末装置９２０に、ユーザ・データ送信の終了を示すために使用されるデータ・フレームを送信し、当該データ・フレームに応答して端末装置９２０返した応答フレームが受信されなかった場合に、当該データ・フレームを現在の送信機会期間中に端末装置９２０に再送するように構成してもよい。
【００８５】
端末装置９２０を、アクセス・ポイント装置９１０が送信したデータ・フレームを受信し、アクセス・ポイント装置９１０が現在の送信機会期間中に再送したデータ・フレームを受信するように構成してもよい。
【００８６】
アクセス・ポイント装置９１０の上記もしくは他の動作および／または機能が、方法１００および２００における対応する内容を参照することができ、端末装置９２０の上記もしくは他の動作および／または機能が、方法３００および４００における対応する内容を参照することができるので、本明細書では説明を繰り返さない。
【００８７】
本発明の実施形態に従うエラー回復システムでは、ユーザ・データ送信の終了を示すデータ・フレームを送信した後、アクセス・ポイント装置は応答フレームが受信されない場合にデータ・フレームを現在の送信機会期間中に直接再送する。その結果、従来技術と異なり、再送前に新規の送信機会期間を争う必要はない。したがって、エラー回復を現在の送信機会期間中に実施することができ、それによりエラー回復が迅速になりエラー回復の遅延が減る。エラー回復を現在の送信機会期間中に実施できると、不必要に新規の送信機会期間を争うことが回避され、それによりエラー回復の効率が向上し、ネットワーク・リソースが節約され、サービス品質が向上する。
【００８８】
本明細書で開示した諸実施形態に従う方法およびユニットのステップを電子ハードウェア、コンピュータ・ソフトウェア、またはそれらの組合せで実装してもよいことは当業者には理解される。ハードウェアおよびソフトウェアの互換性を明確に説明するために、各実施形態のステップおよび一部は以上の明細書における機能に一般的に従って説明されている。これらの機能がハードウェアまたはソフトウェアを通じて実装されるかどうかは、技術的解決策の具体的な適用と設計の制約に依存する。当業者は様々な方法を使用して説明した機能を具体的な適用ごとに実装できるが、この実装は本発明の保護範囲を超えるものとして解釈すべきではない。
【００８９】
本明細書で開示した諸実施形態に従う方法のステップを、ハードウェア、もしくはプロセッサにより実行されるソフトウェア・プログラムによって実装することができ、またはそれらの組合せによって実装することができる。当該ソフトウェア・プログラムは、ＲＡＭ（ｒａｎｄｏｍ  ａｃｃｅｓｓ  ｍｅｍｏｒｙ）、メモリ、ＲＯＭ（ｒｅａｄ−ｏｎｌｙ  ｍｅｍｏｒｙ）、電子的プログラム可能ＲＯＭ、電子的消去可能プログラム可能ＲＯＭ、レジスタ、ハード・ディスク、取外し可能磁気ディスク、もしくはＣＤ−ＲＯＭ、または当業界で公知な他の任意の種類の記憶媒体であってもよい。
【符号の説明】
【００９０】
５００  アクセス・ポイント装置
５１０  送信モジュール
５２０  再送モジュール
【図１】
0005966207.tif 000002
【図２】
0005966207.tif 000003
【図３】
0005966207.tif 000004
【図４】
0005966207.tif 000005
【図５】
0005966207.tif 000006
【図６】
0005966207.tif 000007
【図７】
0005966207.tif 000008
【図８】
0005966207.tif 000009
【図９】
0005966207.tif 000010